(57)【要約】【課題】低コスト化を図る。【解決手段】バッテリ端子ユニットＵを構成する回動規制部材４０は、バッテリ端子２０がバッテリポスト１２に接続された状態でバッテリ１０に当接することでバッテリポスト１２に対するバッテリ端子２０の取付角度を規制可能な本体部４１と、本体部４１に一体に設けられ、ボルト保持部２２の側面に形成された開口部３２に対して圧入されることで回動規制部材４０をバッテリ端子２０に対して固定状態とする圧入部４２と、本体部４１との間でボルト保持部２２を挟んだ位置に配されるとともにボルト保持部２２に係合する係合部品５７と、ボルト保持部２２の側方に配されるとともに本体部４１及び係合部品５７の双方に対して繋がる繋ぎ片５６とを備える。【選択図】図１３
2010062096.tif 000002
【特許請求の範囲】
【請求項１】
バッテリに立設されたバッテリポストに対して接続されるポスト嵌合部及びこのポスト嵌合部に一体に設けられスタッドボルトの頭部を収容するとともに前記スタッドボルトを立設状態に保持するボルト保持部を有するバッテリ端子と、
このバッテリ端子に取り付けられた合成樹脂製の回動規制部材とを備えるバッテリ端子ユニットにおいて、
前記回動規制部材は、
前記バッテリ端子が前記バッテリポストに接続された状態で前記バッテリに当接することで前記バッテリポストに対する前記バッテリ端子の取付角度を規制可能な本体部と、
前記本体部に一体に設けられ、前記ボルト保持部の側面に形成された開口部に対して圧入されることで前記回動規制部材を前記バッテリ端子に対して固定状態とする圧入部と、
前記本体部との間で前記ボルト保持部を挟んだ位置に配されるとともに前記ボルト保持部に係合する係合部と、
前記ボルト保持部の側方に配されるとともに前記本体部及び前記係合部の双方に対して繋がる繋ぎ部とを備えるバッテリ端子ユニット。
【請求項２】
前記繋ぎ部は、前記本体部に一体に設けられている請求項１記載のバッテリ端子ユニット。
【請求項３】
前記繋ぎ部は、前記スタッドボルトに締め付けられる取付部材に係合して前記本体部の圧入方向とは反対方向への移動を規制可能とされる請求項２記載のバッテリ端子ユニット。
【請求項４】
前記繋ぎ部には、前記取付部材に設けられた突部を受け入れる受入部が設けられ、その受入部の壁面に対して前記突部が係合されることで、前記本体部の圧入方向とは反対方向への移動が規制されている請求項３記載のバッテリ端子ユニット。
【請求項５】
前記受入部は、前記繋ぎ部を貫通する孔状に形成されており、その孔縁が無端環状をなしている請求項４記載のバッテリ端子ユニット。
【請求項６】
前記受入部のうち前記圧入方向に沿う壁面には、前記突部が当接されることで、前記スタッドボルトに対する前記取付部材の取付角度が規制される請求項５記載のバッテリ端子ユニット。
【請求項７】
前記受入部は、前記繋ぎ部を貫通する孔状に形成されており、その孔縁が有端環状をなすのに対し、前記ボルト保持部には、前記受入部に進入した前記突部が当接されることで、前記スタッドボルトに対する前記取付部材の取付角度が規制される請求項４記載のバッテリ端子ユニット。
【請求項８】
前記取付部材は、外部回路に接続される端子金具である請求項３ないし請求項７のいずれか１項に記載のバッテリ端子ユニット。
【請求項９】
前記取付部材は、電気部品に固定されるブラケットである請求項３ないし請求項７のいずれか１項に記載のバッテリ端子ユニット。
【請求項１０】
前記繋ぎ部は、前記ボルト保持部に対する前記本体部の圧入方向に沿って延びる形態とされるとともに、前記ボルト保持部に対して前記スタッドボルトの軸線方向と直交する方向に隣り合う位置に配されている請求項１ないし請求項９のいずれか１項に記載のバッテリ端子ユニット。
【請求項１１】
前記繋ぎ部は、前記ボルト保持部を挟んだ位置に一対配され、両繋ぎ部に対して前記係合部が繋げられている請求項１０記載のバッテリ端子ユニット。
【請求項１２】
前記係合部は、前記両繋ぎ部とは別体とされ、前記両繋ぎ部に対して組み付けられることで繋げられる請求項１１記載のバッテリ端子ユニット。
【発明の詳細な説明】
【技術分野】
【０００１】
本発明は、バッテリ端子ユニットに関する。
【背景技術】
【０００２】
従来、自動車などのバッテリの上面に立設されたバッテリポストに対して接続されるバッテリ端子の一例として下記特許文献１に記載されたものが知られている。このバッテリ端子は、バッテリポストに嵌合接続されるポスト嵌合部と、電線に接続される電線接続部と、ポスト嵌合部及び電線接続部を繋ぐ柄部とを有しており、この柄部から回り止め片が突出形成されている。そして、ポスト嵌合部をバッテリポストに嵌合接続する際にポスト嵌合部のボルトを締め付けるのに伴う締め付けトルクが作用しても、回り止め片がバッテリの側面に当接することで、バッテリ端子を回り止めできるようになっている。
【特許文献１】特開平１１−１３５１０２号公報
【発明の開示】
【発明が解決しようとする課題】
【０００３】
ところで、上記した特許文献１に記載されたものでは、回り止め片は、バッテリ端子に一体形成されるとともに、バッテリ側の当接箇所とバッテリポストとの位置関係に適合するような長さ寸法及び形状となっている。
【０００４】
これに対して、例えばバッテリの種類によっては、バッテリポストの設置位置が変更される場合があり、また同じ種類のバッテリであっても、バッテリの外部環境などに応じてバッテリに対するバッテリ端子の取付位置が変更されてそれに伴って回り止め片に対するバッテリ側の当接箇所が変更される場合がある。このように、バッテリ側の当接箇所とバッテリポストとの位置関係は様々に変更され得るため、回り止め片の長さ寸法や形状が異なるバッテリ端子を多品種製造する必要があった。このため、バッテリ端子の製造などに必要なコストも増加し勝ちになるという問題があった。
【０００５】
本発明は上記のような事情に基づいて完成されたものであって、低コスト化を図ることを目的とする。
【課題を解決するための手段】
【０００６】
本発明のバッテリ端子ユニットは、バッテリに立設されたバッテリポストに対して接続されるポスト嵌合部及びこのポスト嵌合部に一体に設けられスタッドボルトの頭部を収容するとともに前記スタッドボルトを立設状態に保持するボルト保持部を有するバッテリ端子と、このバッテリ端子に取り付けられた合成樹脂製の回動規制部材とを備えるバッテリ端子ユニットにおいて、前記回動規制部材は、前記バッテリ端子が前記バッテリポストに接続された状態で前記バッテリに当接することで前記バッテリポストに対する前記バッテリ端子の取付角度を規制可能な本体部と、前記本体部に一体に設けられ、前記ボルト保持部の側面に形成された開口部に対して圧入されることで前記回動規制部材を前記バッテリ端子に対して固定状態とする圧入部と、前記本体部との間で前記ボルト保持部を挟んだ位置に配されるとともに前記ボルト保持部に係合する係合部と、前記ボルト保持部の側方に配されるとともに前記本体部及び前記係合部の双方に対して繋がる繋ぎ部とを備える。
【０００７】
このようにすれば、本体部に対するバッテリ側の当接箇所とバッテリポストとの位置関係などの条件が異なる場合でも、バッテリ端子と比べて製造コストが相対的に安価な回動規制部材について上記条件に適合したものを用意しておけば、製造コストが相対的に高価なバッテリ端子については共用品を使用でき、全体として低コストでの対応が可能となる。しかも、回動規制部材は、バッテリ端子のうちボルト保持部の側面に形成された開口部に圧入される圧入部によってバッテリ端子に対して固定されるから、両者間でがたつきが生じ難く、もって高い回動規制機能を発揮することができる。さらには、繋ぎ部によって本体部に対して繋げられる係合部が、本体部との間でボルト保持部を挟んだ位置にてボルト保持部に係合することで、本体部の圧入方向とは反対方向への移動が規制されるから、バッテリ端子に対して取り付けた回動規制部材をしっかりと保持させることができる。これにより、一層高い回動規制機能を発揮することができる。
【０００８】
本発明の実施態様として、次の構成が好ましい。
（１）前記繋ぎ部は、前記本体部に一体に設けられている。このようにすれば、仮に繋ぎ部を本体部とは別部品にして組み付けるようにした場合に本体部との間でがたつきが生じ得るのと比べると、本体部との間でがたつきが生じることがないので、より高い回動規制機能を発揮することができる。
【０００９】
（２）前記繋ぎ部は、前記スタッドボルトに締め付けられる取付部材に係合して前記本体部の圧入方向とは反対方向への移動を規制可能とされる。このようにすれば、繋ぎ部にスタッドボルトに締め付けられる取付部材が係合することで、上記した係合部と併せて、本体部の圧入方向とは反対方向への移動が二重に規制される。しかも、繋ぎ部が本体部に一体に設けられているから、バッテリ端子に対する回動規制部材のがたつき抑制機能に特に優れる。以上により、一層高い回動規制機能を発揮することができる。
【００１０】
（３）前記繋ぎ部には、前記取付部材に設けられた突部を受け入れる受入部が設けられ、その受入部の壁面に対して前記突部が係合されることで、前記本体部の圧入方向とは反対方向への移動が規制されている。このようにすれば、繋ぎ部の受入部に受け入れられた取付部材の突部が受入部の壁面に係合されることで、バッテリ端子に対する回動規制部材の抜け止めを図ることができる。
【００１１】
（４）前記受入部は、前記繋ぎ部を貫通する孔状に形成されており、その孔縁が無端環状をなしている。このようにすれば、受入部を、繋ぎ部を貫通する孔状に形成するにあたり、その孔縁を無端環状としているので、仮に孔縁を有端環状とした場合と比べて、繋ぎ部の強度を高く保つことができる。これにより、高い抜け止め力を発揮することができる。
【００１２】
（５）前記受入部のうち前記圧入方向に沿う壁面には、前記突部が当接されることで、前記スタッドボルトに対する前記取付部材の取付角度が規制される。このようにすれば、スタッドボルトに対する取付部材の取付角度を規制することができる。また、突部が、バッテリ端子に対する回動規制部材の抜け止め機能と、取付部材の回り止め機能とを兼ね備えているから、構成の簡素化に好適となる。
【００１３】
（６）前記受入部は、前記繋ぎ部を貫通する孔状に形成されており、その孔縁が有端環状をなすのに対し、前記ボルト保持部には、前記受入部に進入した前記突部が当接されることで、前記スタッドボルトに対する前記取付部材の取付角度が規制される。このようにすれば、スタッドボルトに対する取付部材の取付角度を規制することができる。しかも、突部がボルト保持部に対して直接当接されるので、ボルト保持部に対して取付部材ががたつき難くなり、もって高い回り止め機能を発揮することができる。また、突部が、バッテリ端子に対する回動規制部材の抜け止め機能と、取付部材の回り止め機能とを兼ね備えているから、構成の簡素化に好適となる。
【００１４】
（７）前記取付部材は、外部回路に接続される端子金具である。このようにすれば、外部回路に接続される端子金具に抜け止め機能を併せ持たせることができる。
【００１５】
（８）前記取付部材は、電気部品に固定されるブラケットである。このようにすれば、電気部品に固定されるブラケットに抜け止め機能を併せ持たせることができる。
【００１６】
（９）前記繋ぎ部は、前記ボルト保持部に対する前記本体部の圧入方向に沿って延びる形態とされるとともに、前記ボルト保持部に対して前記スタッドボルトの軸線方向と直交する方向に隣り合う位置に配されている。このようにすれば、ボルト保持部に対してスタッドボルトの軸線方向に隣り合う位置には、スタッドボルトに取り付ける部品やバッテリの壁面が存在し得るのと比べると、ボルト保持部に対してスタッドボルトの軸線方向と直交する方向に隣り合う位置には、繋ぎ部を設置するためのスペースを容易に確保することができる。
【００１７】
（１０）前記繋ぎ部は、前記ボルト保持部を挟んだ位置に一対配され、両繋ぎ部に対して前記係合部が繋げられている。このようにすれば、ボルト保持部が本体部と一対の繋ぎ部と係合部とによって取り囲まれるから、スタッドボルトの軸線方向と直交する全方位について、バッテリ端子に対する回動規制部材のがたつきを規制できる。しかも、一対の繋ぎ部に係合部が繋げられるから、強度上も優れ、より高い抜け規制機能を発揮することができる。
【００１８】
（１１）前記係合部は、前記両繋ぎ部とは別体とされ、前記両繋ぎ部に対して組み付けられることで繋げられる。このようにすれば、仮にヒンジにより係合部を一方の繋ぎ部に一体に設けた場合と比べると、バッテリ端子に対する組み付け作業性に優れる。特にポスト嵌合部とボルト保持部との間の間隔が小さい場合に有効となる。
【発明の効果】
【００１９】
本発明によれば、低コスト化を図ることができる。
【発明を実施するための最良の形態】
【００２０】
＜実施形態１＞
本発明の実施形態１を図１〜図２３によって説明する。本実施形態では、自動車に搭載されたバッテリ１０に接続されるバッテリ端子２０と、バッテリ端子２０に取り付けられる回動規制部材４０とからなるバッテリ端子ユニットＵを例示する。なお、以下では、上下方向については図３〜図５，図７〜図１０，図１２，図１４，図１６，図１９，図２１，図２３を基準とする。また、各図面の一部にはＸ軸、Ｙ軸及びＺ軸を示しており、各軸方向が各図面で示した方向となるように描かれている。また、図１５においては、係合部品５７の図示を省略している。
【００２１】
バッテリ１０は、図１８〜図２０に示すように、略箱型をなすバッテリ本体１１と、その上面１１ａから立設される略円柱状のバッテリポスト１２とを備えている。バッテリポスト１２は、鉛などからなるとともにバッテリ本体１１の上面１１ａのうち角位置付近に設置されており、バッテリ本体１１の上面１１ａと共にバッテリ本体１１の角部を構成する一対の側面１１ｂ，１１ｃとの間にそれぞれ所定の距離が空けられている。このバッテリポスト１２に対して次述するバッテリ端子２０が接続されるようになっている。
【００２２】
バッテリ端子２０は、金属板をプレス成形することで、所望の形状に形成されており、図１〜図３に示すように、バッテリポスト１２に対して嵌合接続されるポスト嵌合部２１と、図示しない電線の端末に設けられた端子金具７０（図１１）などが接続されるスタッドボルト２４を立設状態に保持するボルト保持部２２とが繋ぎ部２３によって一体に繋がれた構成となっている。端子金具７０の構成については後に詳しく説明するものとする。ポスト嵌合部２１、繋ぎ部２３及びボルト保持部２２は、Ｘ軸方向（バッテリ端子２０に対する回動規制部材４０の取付方向）に沿って直線的に並んで配されている。このうち、ボルト保持部２２に対してポスト嵌合部２１側とは反対側から回動規制部材４０が取り付けられるようになっており、取付状態ではバッテリポスト１２側からポスト嵌合部２１、繋ぎ部２３、ボルト保持部２２、回動規制部材４０の順でＸ軸方向に沿って並ぶことになる（図１１）。なお、ポスト嵌合部２１がバッテリポスト１２に嵌合された状態では、ボルト保持部２２は、バッテリ本体１１におけるＺ軸方向及びＹ軸方向に沿った側面１１ｂから外部に突出することがなく、側面１１ｂとの間に所定の間隔（後述する回動規制部材４０の横壁４１ｂの長さ寸法分程度の間隔）を空けた位置に配される（図１８，図１９）。
【００２３】
ポスト嵌合部２１は、バッテリポスト１２に外嵌される略円弧状の締付部２５と、締付部２５の両端部からバッテリポスト１２の径方向外向きに延出する一対の延出部２６とからなる。締付部２５は繋ぎ部２３から立ち上げた片部を回曲させることで形成され、延出部２６はその片部の両先端部を外向きに屈曲させることで形成される。締付部２５は、その内径を増減させるように径方向に弾性撓みし得るようになっており、自由状態における内径寸法がバッテリポスト１２の外径寸法よりも大きく設定されることで、バッテリポスト１２に対して遊嵌可能とされる。両延出部２６は、略方形の平板状をなし、自由状態においては、延出端側ほど間隔が広がるよう傾いた姿勢とされる。両延出部２６には、ボルト２７を挿通可能なボルト挿通孔２６ａが貫通形成されており、一方の延出部２６の外側から両ボルト挿通孔２６ａにボルト２７を挿通させ、その先端部を他方の延出部２６の外側に突出させた状態でそこにナット２８が締め付けられる。このボルト２７及びナット２８の締め付け状態を調整することで、両延出部２６間の間隔を増減でき、それに連動して締付部２５の内径寸法が増減される（縮径または拡径される）ので、バッテリポスト１２に対してポスト嵌合部２１を所望の保持力でもって接続状態に保持することができる。
【００２４】
ボルト保持部２２は、図４及び図５に示すように、ポスト嵌合部２１よりも低い略箱状をなしており、その内部にスタッドボルト２４の頭部２４ａを収容するとともに、スタッドボルト２４をその軸部２４ｂが上方外部に突き出した立設状態に保持可能とされる。スタッドボルト２４は、頭部２４ａが平面視四角形状をなすのに対し、軸部２４ｂが外周面にねじ山が螺刻形成された略円柱状をなしている。スタッドボルト２４の軸部２４ｂには、電線の端末に設けられた端子金具７０などが取り付けられた状態でナット（図示せず）が締め回されることで、上記端子金具７０などが締め付けられて固定されるようになっている。
【００２５】
ここで、ボルト保持部２２に取り付けられる端子金具７０の構成について詳しく説明する。端子金具７０は、導電性に優れる金属板をプレス加工することで所定形状に成形されており、図１１に示すように、側方視略Ｌ字型をなす基部７１と、基部７１の一端側に設けられるとともにボルト保持部２２に対して取り付けられるバッテリ取付部７２と、基部７１の他端側に設けられるとともに電線（図示せず）の端末にかしめ付けられる電線接続部７３とから構成される。基部７１は、バッテリ本体１１の上面１１ａに沿った主板部７１ａ（Ｘ軸方向及びＹ軸方向と並行する部分）と、バッテリ本体１１の側面１１ｂに沿った側板部７１ｂ（Ｙ軸方向及びＺ軸方向と並行する部分）とからなり、主板部７１ａにバッテリ取付部７２が、側板部７１ｂに電線接続部７３がそれぞれ設けられている。バッテリ取付部７２には、スタッドボルト２４の軸部２４ｂに対して挿通可能なボルト挿通孔７２ａが貫通形成されている。バッテリ取付部７２は、ボルト挿通孔７２ａにスタッドボルト２４の軸部２４ｂを挿通させつつボルト保持部２２に対して上方からＺ軸方向に沿って取り付けられる。バッテリ取付部７２における両側縁からは、ボルト保持部２２（スタッドボルト２４）に対する取付角度を規制可能な回り止め片７４が一対設けられている。回り止め片７４は、バッテリ取付部７２の先端部から下方へ向けて突出する片持ちの板片状をなしており、その内面がボルト保持部２２の外側面などに係合することで、端子金具７０がスタッドボルト２４の軸線周りに不用意に回動変位するのを規制でき、もって端子金具７０の回り止めを図ることができるようになっている。なお、以下では、両回り止め片７４のうち、図１１に示す奥側のものを第１回り止め片とし、同図手前側のものを第２回り止め片とするとともに、両回り止め片を区別する場合には、第１回り止め片の符号に添え字Ａを、第２回り止め片の符号に添え字Ｂを付し、区別せずに総称する場合には、符号に添え字を付さないものとする。
【００２６】
ボルト保持部２２は、図４〜図６に示すように、繋ぎ部２３に連なりＹ軸方向に延びる片部を屈曲させることで略箱状に形成されている。詳しくは、ボルト保持部２２は、繋ぎ部２３に連なって並行する底壁２２ａと、底壁２２ａにおけるＹ軸方向の一端側からＺ軸方向に沿って立ち上がる第１側壁２２ｂと、第１側壁２２ｂの立ち上がり端から底壁２２ａと対向するようＹ軸方向に沿って延びる天井壁２２ｃと、天井壁２２ｃの延出端から底壁２２ａのＹ軸方向の他端に向けてＺ軸方向に沿って突出して第１側壁２２ｂと対向する第２側壁２２ｄとから構成されており、各壁２２ａ〜２２ｄによって囲まれてなる内部の収容空間にスタッドボルト２４の頭部２４ａが収容される。
【００２７】
底壁２２ａにおけるＹ軸方向の両端部及びＸ軸方向の一端部（繋ぎ部２３側とは反対側の端部）を除いた部分には、図５及び図６に示すように、スタッドボルト２４の頭部２４ａを持ち上げる持ち上げ部２９が上記各端部よりも上方へ張り出す形態で形成されており、この持ち上げ部２９が繋ぎ部２３にも引き続いて形成されている。天井壁２２ｃの略中央位置には、スタッドボルト２４の軸部２４ｂを通すボルト挿通孔３０が貫通形成されている。また、第２側壁２２ｄの突出端における略中央位置には、持ち上げ部２９の外面に係合することで、ボルト保持部２２を箱形状に保持可能な保持片３１が形成されている（図１及び図３）。
【００２８】
ボルト保持部２２は、既述したようにＹ軸方向に連なる各壁２２ａ〜２２ｄによって構成されていて、Ｘ軸方向に沿って２側面が外部に開口している。ボルト保持部２２の両側面にそれぞれ形成された一対の開口部３２，３３のうち、ポスト嵌合部２２側とは反対側（バッテリ端子２０全体におけるＸ軸方向の外端部）の開口部３２の口縁には、スタッドボルト２４の頭部２４ａに係合することでスタッドボルト２４の回動を規制可能なボルト回動規制片３４が立設されている。ボルト回動規制片３４は、図４及び図５に示すように、開口部３２の口縁を構成する底壁２２ａの側縁（開口部３２の口縁のうち下縁）からＺ軸方向に沿って立ち上がる立ち上がり部３４ａと、立ち上がり部３４ａの先端からＸ軸方向に沿って内向きに突出し底壁２２ａと天井壁２２ｃとの間に配されるボルト係合部３４ｂとから構成されており、全体として略Ｌ字形状となっている。ボルト回動規制片３４のボルト係合部３４ｂにおける先端面がスタッドボルト２４の頭部２４ａの側面に係合されるようになっている。ボルト係合部３４ｂの先端部は、Ｙ軸方向について底壁２２ａにおける持ち上げ部２９の側端位置とほぼ同じ位置とされる。また、ボルト係合部３４ｂと天井壁２２ｃとの間には、僅かなクリアランスが確保されている。
【００２９】
このボルト回動規制片３４は、図４に示すように、幅寸法が開口部３２の間口よりも小さくて約半分程度の大きさとされるとともに、ボルト保持部２２におけるＹ軸方向の略中央位置に配され、開口部３２を部分的に塞いでいる。従って、開口部３２は、その入り口に設置されたボルト回動規制片３４によって左右にほぼ均等に分割されており、一対の分割開口部３２ａを備えていると言える。そして、各分割開口部３２ａの奥側に連なる空間であって、ボルト保持部２２の両側壁２２ｂ，２２ｄとボルト回動規制片３４との間の空間は、スタッドボルト２４が存在しないデッドスペースとなっている。本実施形態では、このデッドスペースとなった空間を利用して次述する回動規制部材４０を取付状態に保持するようにしている。
【００３０】
回動規制部材４０は、合成樹脂製とされ、バッテリ端子２０に取り付けられて一体化された状態で、バッテリ１０に対して当接することでバッテリ１０に対するバッテリ端子２０の取付角度を規制できるようになっている（図１８）。詳しくは、回動規制部材４０は、図１及び図６に示すように、バッテリ１０に対して当接可能な本体部４１と、本体部４１から突出してバッテリ端子２０に対して圧入可能な圧入部４２とを備える。回動規制部材４０は、バッテリ端子２０に対してＸ軸方向に沿って取り付けられるようになっている。なお、以下では、バッテリ端子２０に対する本体部４１の取付方向（図６の左方）を前方とし、その逆方向（図６の右方）を後方とする。
【００３１】
本体部４１は、図７に示すように、側方（Ｙ軸方向の正面）から視て断面形状が略クランク状をなしており、バッテリ端子２０を受ける端子受け部４３を含むＺ軸方向に沿った縦壁４１ａと、バッテリ本体１１の上面１１ａに宛われるＸ軸方向に沿った横壁４１ｂと、バッテリ本体１１におけるＺ軸方向及びＹ軸方向に沿った側面１１ｂに当接されるＺ軸方向に沿った回動規制壁４１ｃとを備える。本体部４１におけるＹ軸方向の寸法は、バッテリ端子２０よりも大きく、約２倍程度となっている。
【００３２】
縦壁４１ａは、図１及び図６に示すように、全域がＺ軸方向に沿ってほぼ真っ直ぐであるものの、同図手前側部分がＹ軸方向に沿ってほぼ真っ直ぐに形成されるのに対し、同図奥側部分がＹ軸方向に対して傾いて形成されている。この縦壁４１ａのうちＹ軸方向に沿う真直部分が、バッテリ端子２０のうちボルト保持部２２の側端面（開口部３２の開口縁）に宛われる端子受け部４３を構成している。なお、縦壁４１ａのうち傾斜部分は、バッテリ端子２０からは引っ込む形態とされており、その引っ込んだ分だけ横壁４１ｂのＹ軸方向の寸法も図１及び図６の奥側ほど小さくなっている。横壁４１ｂは、全域にわたってＸ軸方向及びＹ軸方向に沿ってほぼ真っ直ぐな形態とされ、当接対象であるバッテリ本体１１の上面１１ａとほぼ平行をなす。この横壁４１ｂには、図６に示すように、横長な孔部４８が貫通形成されている。孔部４８は、Ｘ軸方向に離間した位置に一対配されている。この孔部４８により、バッテリ１０から発せられる熱を逃がすことができるようになっている。回動規制壁４１ｃは、全域にわたってＹ軸方向及びＺ軸方向に沿ってほぼ真っ直ぐな形態とされ、当接対象であるバッテリ本体１１の側面１１ｂとほぼ平行をなす。
【００３３】
また、本体部４１を構成する各壁４１ａ〜４１ｃの外面、つまりバッテリ１０やバッテリ端子２０とは反対側の面には、図６及び図９に示すように、Ｚ軸方向及びＸ軸方向に沿った縦型補強壁４４が、Ｙ軸方向について所定の間隔を空けて５本（複数）形成されている。各縦型補強壁４４のうち、Ｙ軸方向の両端位置のものと、中央のものとが、Ｘ軸方向またはＺ軸方向について縦壁４１ａ、横壁４１ｂ及び回動規制壁４１ｃの全長にわたる範囲に形成されているのに対し、残りの２つは、Ｘ軸方向またはＺ軸方向について縦壁４１ａ及び横壁４１ｂの全長にわたるものの、回動規制壁４１ｃについて途中まで（次述する横型補強壁４５まで）の範囲に形成されている。また、各縦型補強壁４４におけるＸ軸方向の先端部には、各縦型補強壁４４を横切りつつＸ軸方向及びＹ軸方向に沿う横型補強壁４５が繋がれている。横型補強壁４５と、回動規制壁４１ｃの外面との間には、Ｚ軸方向に開口する所定の空間が確保されている。
【００３４】
回動規制壁４１ｃにおける内面、つまりバッテリ本体１１の側面１１ｂとの対向面のうち、外側の所定の縦型補強壁４４と重畳する領域を除いた領域には、図１及び図８に示すように、僅かな深さの凹部４６が複数形成されており、この凹部４６の面積分だけ回動規制壁４１ｃのバッテリ本体１１の側面１１ｂに対する接触面積が低減されている。逆に言うと、回動規制壁４１ｃの内面のうち、所定の縦型補強壁４４と重畳する領域に縦長なリブ状をなす凸部４７が形成されており、この凸部４７のみがバッテリ本体１１の側面１１ｂに当接される。なお、ここで言う「所定の縦型補強壁４４」は、Ｙ軸方向の両端位置の両縦型補強壁４４と、Ｙ軸方向の中央の縦型補強壁４４とを指す。
【００３５】
続いて、圧入部４２について詳しく説明する。圧入部４２は、図１及び図６に示すように、本体部４１のうち端子受け部４３の内面（バッテリ端子２０側を向いた面）に一対設けられている。一対の圧入部４２は、端子受け部４３の内面において、Ｙ軸方向、つまりＺ軸方向（バッテリポスト１２の軸線方向）及びＸ軸方向（バッテリ端子２０に対する回動規制部材４０の取付方向）と直交する方向に並んで配されている。両圧入部４２間には、所定の間隔が空けられており、その寸法はバッテリ端子２０における両分割開口部３２ａ間の間隔とほぼ一致している。なお、端子受け部４３の内面のうち、両圧入部４２に対してＹ軸方向について外側に隣接する位置には、バッテリ端子２０の端面に突き当てられる受け突部４９が一対設けられている。
【００３６】
圧入部４２は、端子受け部４３の内面（バッテリ端子２０との対向面）からＸ軸方向（バッテリ端子２０に対する取付方向）に沿って突出する挿入突部５０と、挿入突部５０の周面からＹ軸方向またはＺ軸方向（バッテリ端子２０に対する取付方向と交差する方向）に沿って突出して開口部３２の口縁によって圧潰可能な複数のリブ５１〜５３と、挿入突部５０の周面からＹ軸方向に沿って突出してボルト回動規制片３４に係止可能な抜け止め突起５４とを備える。
【００３７】
挿入突部５０は、全体として略ブロック状をなしており、図８に示すように、Ｘ軸方向の正面から視てやや縦長な四角形状とされる。挿入突部５０は、バッテリ端子２０における分割開口部３２ａに対して挿入可能とされており、その高さ寸法（Ｚ軸方向の寸法）及び幅寸法（Ｙ軸方向の寸法）が分割開口部３２ａのそれよりも少し小さく設定されている。挿入突部５０における端子受け部４３からの突出寸法（Ｘ軸方向の寸法）は、バッテリ端子２０におけるボルト回動規制片３４のＸ軸方向の寸法とほぼ同じとされる（図６）。
【００３８】
リブ５１〜５３は、図１及び図８に示すように、挿入突部５０の周面のうち上面からＺ軸方向に沿う上方（第１の方向）へ向けて突出する第１リブ５１と、挿入突部５０の周面のうち下面からＺ軸方向に沿う下方（上記第１の方向とは正反対の第２の方向）へ向けて突出する第２リブ５２と、挿入突部５０の周面のうち外側の側面（もう片方の挿入突部５０との対向面とは反対側の面）からＹ軸方向に沿う外方（もう片方の挿入突部５０側とは逆向きの第３の方向）へ向けて突出する第３リブ５３とからなる。各リブ５１〜５３は、Ｘ軸方向の正面から視て略半円形状をなすとともに、Ｘ軸方向に沿って延びる形態とされ、Ｘ軸方向について挿入突部５０のほぼ全長にわたる長さを有する。また各リブ５１〜５３における前端面（取付方向の先端面）には、開口部３２への円滑な進入を担保するためのテーパ面が面取り形成されている。
【００３９】
第１リブ５１及び第２リブ５２は、互いに幅寸法がほぼ同じで且つ第３リブ５３よりも大きく設定されている。第１リブ５１は、挿入突部５０におけるＹ軸方向の略中央位置に配されるのに対し、第２リブ５２は、挿入突部５０におけるＹ軸方向の中央位置から所定の距離を空けた位置に一対、Ｙ軸方向に並んで配されている。言い換えると、第１リブ５１は、挿入突部５０においてＹ軸方向に並んだ一対の第２リブ５２のほぼ中間位置に配されており、逆に言うと両第２リブ５２は、挿入突部５０においてＹ軸方向について第１リブ５１を挟んだ位置に配されている。つまり、第１リブ５１と第２リブ５２とは、Ｙ軸方向について互いにオフセットした位置（ずれた位置）に配されている。詳しくは、第１リブ５１及び第２リブ５２のうち、幅方向の端部同士についてはＹ軸方向に重なり合うものの、幅方向の中心同士についてはＹ軸方向に重なることなく、互いにずれた配置となっている。また、両第２リブ５２は、挿入突部５０においてＹ軸方向の中央位置を中心にして対称位置に配されていると言える。
【００４０】
第１リブ５１及び第２リブ５２は、挿入突部５０の周面からの突出寸法がほぼ同じとされる。第１リブ５１の突出寸法と第２リブ５２の突出寸法とを足し合わせた寸法は、挿入突部５０と分割開口部３２ａとのＺ軸方向についての寸法差よりも大きくなっている。さらに言うと、第１リブ５１の突出寸法または第２リブ５２の突出寸法単独でも、上記寸法差よりも大きくなっている。従って、挿入突部５０を分割開口部３２ａ内に挿入すると、第１リブ５１及び第２リブ５２が開口部３２の開口縁によって圧潰され、もって所望の保持力が得られるようになっている（図１４）。
【００４１】
第３リブ５３は、挿入突部５０の外側の側面におけるＺ軸方向の中央位置から下方へ所定の距離を空けた位置に配されている。第３リブ５３の突出寸法は、第１リブ５１及び第２リブ５２の突出寸法よりも小さくなっている。抜け止め突起５４は、挿入突部５０の周面のうち内側の側面（もう片方の挿入突部５０との対向面）、つまり第３リブ５３の設置面とは反対側の側面から、Ｙ軸方向に沿う内方（上記第３の方向とは正反対の第４の方向）へ向けて突出している。第３リブ５３と抜け止め突起５４とは、挿入突部５０におけるＺ軸方向の設置位置がほぼ同じとされている。
【００４２】
抜け止め突起５４は、全体として略ブロック状をなすとともに、Ｘ軸方向の正面から視て略台形状、つまり突出端側ほど幅狭になる先細り状に形成されている。抜け止め突起５４における突出基端部の幅寸法は、第１リブ５１及び第２リブ５２よりも大きくなっている。抜け止め突起５４における突出寸法は、各リブ５１〜５３のいずれよりも大きくなっている。抜け止め突起５４は、挿入突部５０の側面における下端位置に配されており、Ｚ軸方向について下側の第３リブ５３と重なり合う位置に配されている。抜け止め突起５４は、Ｘ軸方向について挿入突部５０における先端位置に配されている。また抜け止め突起５４における前端面（取付方向の先端面）には、開口部３２への円滑な進入を担保するためのテーパ面が面取り形成されている（図６）。
【００４３】
第３リブ５３における挿入突部５０の側面からの突出寸法（Ｙ軸方向の寸法）と、抜け止め突起５４における同突出寸法とを足し合わせた寸法は、図６に示すように、挿入突部５０と分割開口部３２ａとのＹ軸方向についての寸法差よりも大きくなっている。さらに言うと、抜け止め突起５４の突出寸法単独でも、上記寸法差よりも大きくなっている。従って、挿入突部５０を分割開口部３２ａ内に挿入すると、第３リブ５３及び抜け止め突起５４が開口部３２の開口縁によって圧潰されるようになっている（図１４）。特に、抜け止め突起５４については、開口部３２の開口縁を構成するボルト回動規制片３４の立ち上がり部３４ａによって多少削られるものの、無理嵌めされて立ち上がり部３４ａの奥側へ進入できるようになっている（図１５）。そして、抜け止め突起５４のうち、バッテリ端子２０に対する取付方向とは逆側を向いた後端面、つまり端子受け部４３側を向いた面が、ボルト回動規制片３４における立ち上がり部３４ａに対して係止される係止面５４ａとなっている。係止面５４ａは、Ｙ軸方向及びＺ軸方向に沿ってほぼ真っ直ぐに形成されている。
【００４４】
以上のように回動規制部材４０は、バッテリ端子２０に対して取り付けられると、圧入部４２の各リブ５１〜５３及び抜け止め突起５４によって取り外し不能な状態、いわゆる嵌め殺し状態でがたつきなく保持されるようになっている。
【００４５】
ところで、上記した圧入部４２を構成する挿入突部５０には、図６及び図８に示すように、肉抜き部５５が設けられている。肉抜き部５５は、挿入突部５０の周面のうち上面、つまり第１リブ５１の設置面に開口する形態とされるとともに、第１リブ５１を挟んだ位置に一対配されている。従って、両肉抜き部５５は、第１リブ５１とはＹ軸方向についてオフセットした位置に配されていると言える。両肉抜き部５５は、その中心が両第２リブ５２の中心に対してＹ軸方向について僅かに外寄りにずれた位置に配されている。肉抜き部５５は、Ｘ軸方向の正面から視て縦長な四角形状をなしている。また、肉抜き部５５は、挿入突部５０の前端部を所定厚さ分残して形成され、上方にのみ開口する形態とされている。この肉抜き部５５により、回動規制部材４０を樹脂成形する際に挿入突部５０にひけが生じ難くなっている。
【００４６】
そして、肉抜き部５５における幅寸法及び深さ寸法（高さ寸法）は、図８に示すように、挿入突部５０をＸ軸方向の正面から視て、第１リブ５１の突出端と第２リブ５２との突出端とを結んだ２本の線Ｌ１とはずれる（交差しない、重畳しない）ような大きさに設定されている。さらには、肉抜き部５５の深さ寸法は、挿入突部５０をＸ軸方向の正面から視て、Ｙ軸方向に沿い且つ第３リブ５３及び抜け止め突起５４の突出端を通る線Ｌ２とはずれるような大きさに設定されている。
【００４７】
さて、本実施形態に係る回動規制部材４０は、バッテリ端子２０に対する取付構造として上記した圧入部４２に加えて、繋ぎ片５６及び係合部品５７を備えている。係合部品５７は、図１に示すように、本体部４１との間にボルト保持部２２を挟んだ状態でボルト保持部２２に係合可能とされるのに対し、繋ぎ片５６は、係合部品５７及び本体部４１の双方を機械的に中継して繋ぐ機能を有する。繋ぎ片５６は、圧入部と同様に本体部４１に一対、一体に設けられているのに対し、係合部品５７は、本体部４１、圧入部４２及び繋ぎ片５６に対して別体とされていて両繋ぎ片５６に対して組み付けられることで一体化されるようになっている。
【００４８】
先に、繋ぎ片５６について詳しく説明する。繋ぎ片５６は、図１及び図６に示すように、本体部４１を構成する縦壁４１ａのうち、端子受け部４３の側方位置からＸ軸方向に沿って圧入部４２と同方向、すなわちバッテリ端子２０に対する回動規制部材４０の取付方向（本体部４１の圧入方向）に突出する形態とされ、本体部４１と一体成形されている。繋ぎ片５６は、片持ち状をなしており、その長さ寸法（Ｘ軸方向の寸法）は、ボルト保持部２２の同寸法よりも大きく設定されている。従って、バッテリ端子２０に本体部４１を取り付けた状態では、繋ぎ片５６の先端部は、ボルト保持部２２よりも前方、つまりボルト保持部２２に対してＸ軸方向について本体部４１とは反対側に突出した位置に配される（図１３）。この繋ぎ片５６の先端部には、係合部品５７を取付状態に保持するための保持構造を構成する保持突起５８が設けられている。繋ぎ片５６は、本体部４１の縦壁４１ａにおいて両圧入部４２を挟んだ位置に一対配設されており、両繋ぎ片５６間の間隔は、ボルト保持部２２の幅寸法（Ｙ軸方向の寸法）とほぼ等しくなっている。なお、以下では、両繋ぎ片５６のうち、図６に示す奥側のものを第１繋ぎ片とし、同図手前側のものを第２繋ぎ片とするとともに、両繋ぎ片を区別する場合には、第１繋ぎ片の符号に添え字Ａを、第２繋ぎ片の符号に添え字Ｂを付し、区別せずに総称する場合には、符号に添え字を付さないものとする。
【００４９】
第１繋ぎ片５６Ａは、本体部４１の縦壁４１ａにおける前面（バッテリ端子２０側を向いた面）から前方へ向けて延出する形態とされる。第１繋ぎ片５６Ａは、概ね全長にわたって同一幅とされるとともに、その幅寸法は第２繋ぎ片５６Ｂと比べて相対的に大きく設定されている。第１繋ぎ片５６Ａの先端部の内側面（第２繋ぎ片５６Ｂとの対向面）には、係合部品５７を受け入れる係合部品受け凹部５９が内向きに開口する形態で凹み形成されている。この係合部品受け凹部５９の周縁のうち、先端側の前縁部は、係合部品５７が正規とは逆向きで取り付けられようとした場合に係合部品５７に干渉することでその取り付けを規制可能とされる。さらには、第１繋ぎ片５６Ａの先端部には、第１繋ぎ片５６ＡをＺ軸方向、つまり厚さ方向（上下方向）に貫通することで、後述する係合部品５７の保持片６６を挿入可能な保持片挿入孔６０が設けられている。保持片挿入孔６０は、Ｘ軸方向に沿って細長い平面視矩形状をなしている。保持片挿入孔６０の内周面のうち、内寄り（バッテリ端子２０に近い側）の壁面には、保持片６６が係止可能な保持突起５８が外向きに突出して設けられている。また、保持片挿入孔６０における下端部には、保持片６６の先端を受ける受け壁６１が設けられている。
【００５０】
一方、第２繋ぎ片５６Ｂは、本体部４１の外側面から前方へ向けて延出する形態とされ、突出基端部についてはＸ軸方向に対してやや斜め外向きに延びている。第２繋ぎ片５６Ｂの突出基端部の外側面には、補強のための補強リブ６２が設けられている。第２繋ぎ片５６Ｂの先端部における外側面には、係合部品５７の保持片６６を挿入可能な保持片挿入凹部６３が外向きに開口する形態で凹み形成されている。保持片挿入凹部６３の外側面には、保持片６６が係止可能な保持突起５８が外向きに突出して設けられている。また、保持片挿入凹部６３における下端部には、保持片６６を受ける受け壁６１が設けられている。
【００５１】
本体部４１をボルト保持部２２に対して取り付けた状態では、本体部４１がボルト保持部２２に対してＸ軸方向に並んで配されるのに対し、両繋ぎ片５６は、ボルト保持部２２を間に挟み込むとともにボルト保持部２２に対してＹ軸方向、つまりスタッドボルト２４やバッテリポスト１２の軸線方向（Ｚ軸方向）と直交する方向に並んで配されている。言い換えると、両繋ぎ片５６は、ボルト保持部２２に対してＹ軸方向について重畳するものの、Ｚ軸方向について重畳することがない位置に配されている。両繋ぎ片５６における内側面は、ボルト保持部２２の外側面と近接した状態または当接した状態とされる（図１３）。なお、第１繋ぎ片５６Ａの内側面は、ほぼ全域にわたってボルト保持部２２の外側面に対して近接した状態または当接した状態とされるのに対し、第２繋ぎ片５６Ｂの内側面は、後述する第２受入部６８Ｂを形成する都合上、基端側の一部のみがボルト保持部２２の外側面に対して近接した状態または当接した状態とされる。
【００５２】
続いて、係合部品５７について詳しく説明する。係合部品５７は、本体部４１と同じく合成樹脂製とされており、図１及び図６〜図１０に示すように、両繋ぎ片５６の先端部間に配される基部６４と、基部６４の両側端から側方へ突出する一対の側板部６５と、両側板部６５からそれぞれ垂設される一対の保持片６６と、基部６４からボルト保持部２２側へ突出するとともにボルト保持部２２に対して係合される係合部６７とから構成される。
【００５３】
基部６４は、図６に示すように、Ｙ軸方向に沿って細長い略ブロック状をなしており、その長さ寸法が両繋ぎ片５６の先端部間の間隔よりも所定寸法（係合部品受け凹部５９の凹み寸法）大きくなっている。基部６４のうち、本体部４１とは反対側を向いた面（ポスト嵌合部２１側を向いた面）は、ポスト嵌合部２１の締付部２５の外形に沿って略円弧状に切り欠かれている。基部６４は、両繋ぎ片５６の先端部に取り付けられ且つバッテリ端子２０に取り付けられた状態では、ボルト保持部２２とポスト嵌合部２１との間の空間に嵌入されるようになっている（図１３）。また、基部６４の下面には、肉抜き部が開口して設けられている。両側板部６５は、図６及び図８に示すように、基部６４の両外側面における上端位置からＹ軸方向に沿って外向きにそれぞれ突出する形態とされ、その前後両端面が基部６４と面一状をなす。
【００５４】
両保持片６６は、図７及び図８に示すように、両側板部６５の下面からそれぞれＺ軸方向に沿って下方、つまり両繋ぎ片５６に対する係合部品５７の取付方向に沿って突出する片持ち状をなしている。両保持片６６は、突出基端部を支点にして弾性変形可能とされ、弾性変形に伴ってＹ軸方向、つまり上記取付方向と直交する方向に沿って外向きに変位されるようになっている。両保持片６６における幅方向の中央には、上方へ開口する溝部６６ａが形成されている。係合部品５７を両保持片６６に取り付けると、上記溝部６６ａ内に保持突起５８が進入可能とされ、その溝縁のうち下縁部に対して保持突起５８が係止されるようになっている（図１６）。言い換えると、両保持片６６は、側方視略チャンネル型をなしており、その先端部が保持突起５８に対して係止される（図１２）。
【００５５】
係合部６７は、図６及び図９に示すように、基部６４のうち本体部４１側を向いた面（ボルト保持部２２側を向いた面）から本体部４１側に向けて突出して設けられている（図６）。係合部６７は、Ｙ軸方向に沿って細長い板状をなし、その長さ寸法は、両繋ぎ片５６間の間隔、つまりボルト保持部２２の幅寸法とほぼ等しくなっている。係合部６７は、基部６４に対して部分的に連結されており、詳しくは係合部６７における長さ方向の両端位置と、両端位置から所定寸法内側に離間した２位置との計４箇所が、それぞれ連結部６７ａによって基部６４に対して連結されている。従って、係合部６７のうち各連結部６７ａ間に配される部分は、ブリッジ状（両持ち状）をなすブリッジ部６７ｂとなっており、各ブリッジ部６７ｂがＸ軸方向、つまり基部６４に対して接離する方向に僅かながらも弾性変形可能とされる。言い換えると、各ブリッジ部６７ｂと基部６４との間には、肉抜きが介在しており、それにより成形時における各ブリッジ部６７ｂの厚さ寸法の寸法精度が高められている。係合部６７のうち、両端に位置する一対のブリッジ部６７ｂにおける外面（ボルト保持部２２との対向面）には、ボルト保持部２２を構成する天井壁２２ｃの端面に対して係合される係合突起６７ｃが一対ずつ設けられている。係合部品５７を両繋ぎ片５６の先端部に組み付けた状態では、本体部４１と係合部６７との間に所定の間隔が空けられ、その間隔はボルト保持部２２の長さ寸法（Ｘ軸方向の寸法）とほぼ等しくなっている（図１３）。
【００５６】
そして、上記した両繋ぎ片５６には、既述したボルト保持部２２に取り付けられる端子金具７０が係合可能とされる。詳しくは、両繋ぎ片５６には、端子金具７０のバッテリ取付部７２から下方、つまり繋ぎ片５６に向けて突出する回り止め片７４を受け入れる受入部６８がそれぞれ設けられている。そして、端子金具７０におけるバッテリ取付部７２がボルト保持部２２上に積層配置された状態では、受入部６８内に回り止め片７４が進入されるとともに受入部６８の壁面に対して回り止め片７４が係合することで、繋ぎ片５６と一体の本体部４１が、端子金具７０と一体化されたボルト保持部２２から抜け方向、言い換えると本体部４１の取付方向（圧入方向）とは反対方向へ移動するのが規制されるようになっている。なお、以下では、第１繋ぎ片５６Ａに設けられたものを第１受入部とし、第２繋ぎ片５６Ｂに設けられたものを第２受入部とするとともに、両受入部６８を区別する場合には、第１受入部の符号に添え字Ａを、第２受入部の符号に添え字Ｂを付し、区別せずに総称する場合には、符号に添え字を付さないものとする。
【００５７】
第１受入部６８Ａは、第１繋ぎ片５６Ａのうち先端部と基端部との間の中間部分（ボルト保持部２２に対応した部分）を、その厚さ方向（Ｚ軸方向）に貫通する孔状に形成されている（図２１）。第１受入部６８Ａは、第１回り止め片７４Ａの断面形状に適合した形状とされ、平面に視てＸ軸方向（第１繋ぎ片５６Ａの長さ方向）に細長い矩形状をなしている（図２２）。従って、この第１受入部６８Ａの孔縁６８Ａａは、横長な枠型、つまり無端環状をなしている。そして、第１受入部６８Ａの内周壁面のうち、Ｘ軸方向について本体部４１とは反対側に位置し且つＹ軸方向（本体部４１の圧入方向と直交する方向）に沿った壁面が、第１回り止め片７４Ａにおける本体部４１とは反対側を向いた端面に対して係合されることで、本体部４１並びに回動規制部材４０の抜け止めが図られるようになっている（図２２）。この壁面が第１回り止め片７４Ａに対する抜け規制係合面６８Ａｂとなっている。また、言い換えると、第１繋ぎ片５６Ａは、長さ方向の中間部分が第１受入部６８Ａによって内外の一対のアーム部に分けられていると言える。
【００５８】
第１受入部６８Ａ内に挿入された第１回り止め片７４Ａの内面は、第１受入部６８Ａの内周壁面のうち、Ｙ軸方向についてボルト保持部２２寄り（内側）に位置し且つＸ軸方向（本体部４１の圧入方向）に沿った壁面に対して当接可能とされる（図２１）。この壁面が第１回り止め片７４Ａに対する回り止め当接面６８Ａｃとなっている。なお、取付状態では、ボルト保持部２２と第１回り止め片７４Ａとの間に、第１受入部６８Ａの孔縁６８ＡａのうちＹ軸方向について内側の縁部が挟み込まれることになる。
【００５９】
一方、第２受入部６８Ｂは、第２繋ぎ片５６Ｂのうち先端部と基端部との間の中間部分（ボルト保持部２２に対応した部分）を、その厚さ方向（Ｚ軸方向）に貫通するとともにＹ軸方向に沿って内側（圧入部４２、ボルト保持部２２側）にも開口する形態とされている。つまり、第２繋ぎ片５６Ｂは、内側面（圧入部４２との対向面、ボルト保持部２２側を向いた面）が部分的に凹んだ形状となっている。従って、第２受入部６８Ｂの孔縁６８Ｂａは、平面に視て横長な略チャンネル型をなしており、有端環状となっている。そして、第２受入部６８Ｂの内周壁面のうち、Ｘ軸方向について本体部４１とは反対側に位置し且つＹ軸方向（本体部４１の圧入方向と直交する方向）に沿った壁面が、第２回り止め片７４Ｂにおける本体部４１とは反対側を向いた端面に対して係合されることで、本体部４１並びに回動規制部材４０の抜け止めが図られるようになっている（図２２）。この壁面が第２回り止め片７４Ｂに対する抜け規制係合面６８Ｂｂとなっている。
【００６０】
回動規制部材４０をバッテリ端子２０に取り付けた状態では、第２受入部６８Ｂの孔縁６８ＢａにおけるＹ軸方向への開口部分が、ボルト保持部２２を構成する第１側壁２２ｂによってほぼ全長にわたって閉塞されるようになっている（図１３）。そして、スタッドボルト２４に端子金具７０を取り付けた状態では、第２回り止め片７４が第２受入部６８Ｂ内に進入されるとともに、ボルト保持部２２の第２側壁２２ｄの外側面に対して直接当接可能とされる。従って、この取付状態では、この第２回り止め片７４Ａと既述した第１回り止め片７４Ｂとによって、ボルト保持部２２（スタッドボルト２４）に対する端子金具７０の回り止め機能を十分に発揮することができる。また、両回り止め片７４の内面間の間隔は、ボルト保持部２２の幅寸法と、第１受入部６８Ａの孔縁６８ＡａのうちＹ軸方向について内側の縁部の幅寸法とを足し合わせた大きさとほぼ等しくなっている。なお、両回り止め片７４は、端子金具７０の回り止め機能と、第１繋ぎ片５６Ａの抜け止め機能とを併せ持っていると言える。
【００６１】
本実施形態は以上のような構造であり、続いてその作用を説明する。まず、ボルト保持部２２内にスタッドボルト２４を収容した状態のバッテリ端子２０に対して回動規制部材４０を取り付ける作業を行う。
【００６２】
取り付けにあたっては、本体部４１の両繋ぎ片５６間にバッテリ端子のボルト保持部２２を位置合わせしつつ、Ｘ軸方向に沿ってバッテリ端子２０に対して本体部４１を相対的に接近させるようにする。所定深さまで本体部４１を押し込むと、両繋ぎ片５６間にボルト保持部２２が挟み込まれ、続いて両圧入部４２がボルト保持部２２の開口部３２を構成する両分割開口部３２ａ内に進入される。各圧入部４２の挿入突部５０が各分割開口部３２ａ内に挿入されると、それに伴って第１リブ５１、第２リブ５２及び第３リブ５３がそれぞれ分割開口部３２ａの開口縁における上縁、下縁、外側の側縁に干渉することで、圧潰される。このとき、抜け止め突起５４は、分割開口部３２ａの開口縁における内側の側縁を構成するボルト回動規制片３４の立ち上がり部３４ａに干渉することで、多少削られつつも無理嵌めされ、本体部４１側から視て立ち上がり部３４ａの奥側へと進入する。
【００６３】
そして、各圧入部４２が各分割開口部３２ａ内に正規深さまで圧入されると、端子受け部４３における両受け突部４９がボルト保持部２２の側端面に突き当てられることで、それ以上の押し込みが規制される（図１１〜図１３）。この取付状態では、図１４及び図１５に示すように、各リブ５１〜５３が圧潰されることで得られる摩擦抵抗力と、抜け止め突起５４の係止面５４ａがボルト回動規制片３４の立ち上がり部３４ａに係止することで得られる係止力とによって、本体部４１は、バッテリ端子２０に対してほぼ取り外し不能な状態で保持される。詳しくは、本体部４１は、第１リブ５１及び第２リブ５２によってＺ軸方向に、第３リブ５３によってＹ軸方向にそれぞれバッテリ端子２０に対して相対変位不能に保持されるとともに、抜け止め突起５４によってＸ軸方向について取り外し方向へ相対変位不能（抜け止め状態）に保持される。しかも、この状態では、両繋ぎ片５６間にボルト保持部２２が挟み込まれているので、本体部４１はバッテリ端子２０に対してＹ軸方向について相対変位不能とされる。もって、本体部４１は、バッテリ端子２０に対してＸ軸方向，Ｙ軸方向及びＺ軸方向のいずれの方向にもがたつきが生じることが防がれている。しかも、第２リブ５２は、挿入突部５０においてそれぞれ一対ずつ所定の間隔を空けて配置されているから、挿入突部５０が分割開口部３２ａ内にてその軸線（Ｘ軸）周りに傾くような事態が生じ難くなっている。さらには、圧入部４２は、本体部４１においてＹ軸方向に一対並んで配されているから、バッテリ端子２０に対して本体部４１がＺ軸周りに傾いたり、Ｘ軸周りに傾くような事態が極めて生じ難くなっている。また、この取付状態では、両繋ぎ片５６の先端部が、ボルト保持部２２に対してＸ軸方向について本体部４１とは反対側、つまりポスト嵌合部２１側に突出した位置に配される。
【００６４】
上記したようにバッテリ端子２０に対して本体部４１を圧入保持させたら、続いて両繋ぎ片５６に対して係合部品５７を組み付ける作業を行う。係合部６７をボルト保持部２２側に向けた姿勢の係合部品５７を、バッテリ端子２０におけるボルト保持部２２とポスト嵌合部２１との間の空間に向けて上方から押し込み、両繋ぎ片５６の先端部に対して取り付ける。すると、係合部品５７がボルト保持部２２とポスト嵌合部２１との間に入り込むとともに、そのうちの基部６４が両繋ぎ片５６の先端部間に嵌め込まれ、さらには両保持片６６がそれぞれ対応する保持片挿入孔６０または保持片挿入凹部６３に挿入される。この過程では、係合部６７の各係合突起６７ｃがボルト保持部２２のうち天井壁２２ｃの端面に摺接されるのであるが、このとき係合部６７における各ブリッジ部６７ｂがボルト保持部２２から離間する方向へ僅かながらも弾性変形可能とされているので、バッテリ端子２０に対する組み付け誤差などを吸収することができ、もって係合部６７をボルト保持部２２に対してほぼ密接状態とすることができる。また、組付過程では、各保持片６６が対応する各保持突起５８に乗り上げることで、外向きに弾性変形される。
【００６５】
係合部品５７が両繋ぎ片５６の先端部に対して正規深さまで押し込まれると、図１６に示すように、各保持片６６が各保持突起５８を乗り越えるとともに復元し、各溝部６６ａの溝縁が各保持突起５８に係止することで、係合部品５７が両繋ぎ片５６に対して組み付け状態に保持される。このとき、図１７に示すように、係合部品５７の係合部６７における各係合突起６７ｃがボルト保持部２２の天井壁２２ｃにおける端面に係合されているので、仮に本体部４１をバッテリ端子２０から引っ張り抜くような力が作用した場合でも、係合部品５７に対して両繋ぎ片５６を介して一体的に繋がれた本体部４１がバッテリ端子２０に対して圧入方向とは反対の抜け方向へ移動するのが規制される。この組付状態では、ボルト保持部２２は、Ｘ軸方向について係合部品５７と本体部４１との間に挟み込まれるとともに、Ｙ軸方向について既述した両繋ぎ片５６によっても挟み込まれているので、全周が取り囲まれた状態とされる。従って、ボルト保持部２２は、本体部４１に対してスタッドボルト２４の軸線方向（Ｚ軸方向）と直交する全方位について相対変位するのが規制される。
【００６６】
次に、上記のようにして一体化したバッテリ端子２０及び回動規制部材４０のうち、バッテリ端子２０のボルト保持部２２に対して、電線に接続された端子金具７０を取り付ける作業を行う。端子金具７０のボルト挿通孔７２ａにスタッドボルト２４の軸部２４ｂを位置合わせしつつ挿通するとともに、基部７１の主板部７１ａをボルト保持部２２の上面に当接させる。この過程では、第１回り止め片７４Ａが第１繋ぎ片５６Ａにおける孔状の第１受入部６８Ａ内に挿入されるとともに、第２回り止め片７４Ｂが第２繋ぎ片５６Ｂにおける内向きにも開口した孔状の第２受入部６８Ｂ内に挿入される。
【００６７】
端子金具７０がボルト保持部２２に取り付けられた状態では、図１８〜図２２に示すように、端子金具７０の主板部７１ａがボルト保持部２２の上面に当接されるとともに、両回り止め片７４が対応する各繋ぎ片５６の受入部６８内に進入してその内周壁面に当接または近接して配される。この状態では、両回り止め片７４のうちＸ軸方向について本体部４１とは反対側の端面と、両受入部６８の抜け規制係合面６８ｂとが互いに対向して配されているので、仮に本体部４１に圧入方向とは反対方向に引っ張るような力が作用した場合でも、両抜け規制係合面６８ｂが両回り止め片７４に係合することで、既述した圧入部４２による圧入及び係合部品５７による係合とも相まって、本体部４１が端子金具７０並びにボルト保持部２２に対して抜け方向に相対変位するのが規制される（図２２）。もって、バッテリ端子２０に対して端子金具７０を介して回動規制部材４０を高い保持力でもって保持させることができる。しかも、第１回り止め片７４Ａが第１繋ぎ片５６Ａの第１受入部６８Ａにおける回り止め当接面６８Ａｃに当接されるとともに、第２回り止め片７４Ｂがボルト保持部２２における第２側壁２２ｄの外側面に直接当接されることで、スタッドボルト２４に対する端子金具７０の回り止めを図ることができる（図２１）。
【００６８】
続いて、上記のようにして得られたバッテリ端子ユニットＵをバッテリ１０に対して取り付ける作業を行う。まず、バッテリ１０のバッテリポスト１２に対してバッテリ端子２０のポスト嵌合部２１を嵌合させる。このとき、図１８〜図２０に示すように、回動規制部材４０の本体部４１を構成する回動規制壁４１ｃを、バッテリ本体１１の側面１１ｂに対して当接させるようにする。バッテリ端子２０がバッテリ本体１１の上面１１ａに載置されたところで、ポスト嵌合部２１のボルト２７及びナット２８を適宜に工具を用いて締め付けるようにする。すると、ポスト嵌合部２１の締付部２５がその内径を縮径させるよう弾性変形するとともにその内周面がバッテリポスト１２の外周面に対して圧接され、もってバッテリ端子２０がバッテリポスト１２に対して取付状態に保持される。
【００６９】
このとき、ボルト２７の締め付けに伴って発生するトルクによって、バッテリ端子２０がバッテリポスト１２を中心にしてその軸線（Ｚ軸）周りに回動変位するおそれがある。ところが、図１８及び図１９に示すように、バッテリ端子２０に一体化された回動規制部材４０のうちＹ軸方向及びＺ軸方向に沿った回動規制壁４１ｃの凸部４７が、並行するバッテリ本体１１の側面１１ｂに対して当接されているので、上記のようなバッテリ端子２０の回動動作が未然に規制される。これにより、バッテリポスト１２に対するバッテリ端子２０の取付角度を図２０に示す状態に維持することができる。
【００７０】
ところで、上記したバッテリ端子ユニットＵが取り付けられるバッテリ１０は、例えば搭載される車種やグレードに応じて種類が変更される場合があって、それに伴ってバッテリ本体１１におけるバッテリポスト１２の設置位置が変更される場合がある。そうなると、バッテリ本体１１のうち回動規制部材４０の回動規制壁４１ｃが当接される箇所である側面１１ｂ（バッテリ１０側の当接箇所）とバッテリポスト１２との相対的な位置関係が変更されることになる。これに対して、バッテリ端子ユニットＵは、ポスト嵌合部２１と回動規制壁４１ｃとの位置関係が一定であるから、上記バッテリ１０側の変更に対応できない。そこで、本実施形態では、本体部４１が上記バッテリ１０側の変更に適合した形状とされる回動規制部材４０を別途に製造しておき、その回動規制部材４０をバッテリ端子２０に取り付けて使用するようにしている。つまり、金属製で相対的に製造コストが高価なバッテリ端子２０については、共用品を用いるのに対し、合成樹脂製で相対的に製造コストが安価な回動規制部材４０については、各種条件に合致した専用品を多品種製造して用いるのである。
【００７１】
具体的には、バッテリ１０におけるバッテリポスト１２とバッテリ本体１１の側面１１ｂとの間のＸ軸方向についての距離が図１９に示すものよりも大きい場合には、図２３に示すように、回動規制部材４０′として本体部４１′を構成する横壁４１ｂ′のＸ軸方向の長さ寸法Ｌ′が、図１９に示すものの長さ寸法Ｌよりも上記距離の増加分だけ大きくなったものを製造する。なお、この回動規制部材４０′では、横壁４１ｂ′と共に縦型補強壁４４′についても延長しているが、それ以外の構成は変更されていない。そして、この回動規制部材４０′をバッテリ端子２０に取り付けることでバッテリ端子ユニットＵ′を製造したら、そのバッテリ端子ユニットＵ′をバッテリ１０に対して取り付ける。すると、バッテリポスト１２にポスト嵌合部２１が嵌合した状態で、回動規制壁４１ｃ′がバッテリ１０の側面１１ｂに対して当接され、もってバッテリ端子２０の回動規制機能を良好に発揮することができる。
【００７２】
なお、バッテリ１０におけるバッテリポスト１２とバッテリ本体１１の側面１１ｂとの間のＸ軸方向についての距離が図１９に示すものよりも小さい場合には、上記とは逆に回動規制部材４０として本体部４１を構成する横壁４１ｂのＸ軸方向の長さ寸法が、図１９に示すものの長さ寸法Ｌよりも上記距離の減少分だけ小さくなったものを製造すればよい。また、上記のようにバッテリ１０の種類が変更される場合以外にも、例えばバッテリポスト１２に対するバッテリ端子２０の取付角度が変更され、それに伴って回動規制部材４０における回動規制壁４１ｃが当接されるバッテリ本体１１側の部位が、Ｚ軸方向及びＸ軸方向に沿った側面１１ｃに変更される場合もあり得るが、その場合でもそれに対応した形状の回動規制部材４０を製造しておくことで、容易に対応することが可能となっている。
【００７３】
以上説明したように本実施形態のバッテリ端子ユニットＵは、バッテリ１０に立設されたバッテリポスト１２に対して接続されるポスト嵌合部２１及びこのポスト嵌合部２１に一体に設けられスタッドボルト２４の頭部２４ａを収容するとともにスタッドボルト２４を立設状態に保持するボルト保持部２２を有するバッテリ端子２０と、このバッテリ端子２０に取り付けられた合成樹脂製の回動規制部材４０とを備えており、回動規制部材４０は、バッテリ端子２０がバッテリポスト１２に接続された状態でバッテリ１０に当接することでバッテリポスト１２に対するバッテリ端子２０の取付角度を規制可能な本体部４１と、本体部４１に一体に設けられ、ボルト保持部２２の側面に形成された開口部３２に対して圧入されることで回動規制部材４０をバッテリ端子２０に対して固定状態とする圧入部４２と、本体部４１との間でボルト保持部２２を挟んだ位置に配されるとともにボルト保持部２２に係合する係合部品５７と、ボルト保持部２２の側方に配されるとともに本体部４１及び係合部品５７の双方に対して繋がる繋ぎ片５６とを備える。
【００７４】
このようにすれば、本体部４１に対するバッテリ１０側の当接箇所とバッテリポスト１２との位置関係などの条件が異なる場合でも、バッテリ端子２０と比べて製造コストが相対的に安価な回動規制部材４０について上記条件に適合したものを用意しておけば、製造コストが相対的に高価なバッテリ端子２０については共用品を使用でき、全体として低コストでの対応が可能となる。しかも、回動規制部材４０は、バッテリ端子２０のうちボルト保持部２２の側面に形成された開口部３２に圧入される圧入部４２によってバッテリ端子２０に対して固定されるから、両者間でがたつきが生じ難く、もって高い回動規制機能を発揮することができる。さらには、繋ぎ片５６によって本体部４１に対して繋げられる係合部品５７が、本体部４１との間でボルト保持部２２を挟んだ位置にてボルト保持部２２に係合することで、本体部４１の圧入方向とは反対方向への移動が規制されるから、バッテリ端子２０に対して取り付けた回動規制部材４０をしっかりと保持させることができる。これにより、一層高い回動規制機能を発揮することができる。
【００７５】
ところで、仮に回動規制部材における本体部にヒンジで接続した蓋体を設け、その蓋体と本体部との間にバッテリ端子２０を挟み込んで保持するようにしたものでは、バッテリ端子２０との間にクリアランスが生じ易く、両者間でがたつきが生じてしまい、回動規制可能な角度の精度が低くなり勝ちとなる。これと比べると、本実施形態では、圧入によって回動規制部材４０をバッテリ端子２０に対してがたつきなくしっかりと固定しているので、バッテリ端子２０を相対的に高い精度で角度規制できるようになっている。
【００７６】
また、繋ぎ片５６は、本体部４１に一体に設けられている。このようにすれば、仮に繋ぎ片を本体部とは別部品にして組み付けるようにした場合に本体部との間でがたつきが生じ得るのと比べると、本体部４１との間でがたつきが生じることがないので、より高い回動規制機能を発揮することができる。
【００７７】
また、繋ぎ片５６は、スタッドボルト２４に締め付けられる取付部材である端子金具７０に係合して本体部４１の圧入方向とは反対方向への移動を規制可能とされる。このようにすれば、繋ぎ片５６にスタッドボルト２４に締め付けられる取付部材である端子金具７０が係合することで、上記した係合部品５７と併せて、本体部４１の圧入方向とは反対方向への移動が二重に規制される。しかも、繋ぎ片５６が本体部４１に一体に設けられているから、バッテリ端子２０に対する回動規制部材４０のがたつき抑制機能に特に優れる。以上により、一層高い回動規制機能を発揮することができる。
【００７８】
また、繋ぎ片５６には、端子金具７０に設けられた回り止め片７４を受け入れる受入部６８が設けられ、その受入部６８の壁面に対して回り止め片７４が係合されることで、本体部４１の圧入方向とは反対方向への移動が規制されている。このようにすれば、繋ぎ片５６の受入部６８に受け入れられた端子金具７０の回り止め片７４が受入部６８の壁面に係合されることで、バッテリ端子２０に対する回動規制部材４０の抜け止めを図ることができる。
【００７９】
また、第１受入部６８Ａは、第１繋ぎ片５６Ａを貫通する孔状に形成されており、その孔縁６８Ａａが無端環状をなしている。このようにすれば、第１受入部６８Ａを、第１繋ぎ片５６Ａを貫通する孔状に形成するにあたり、その孔縁６８Ａａを無端環状としているので、仮に孔縁を有端環状とした場合と比べて、第１繋ぎ片５６Ａの強度を高く保つことができる。これにより、高い抜け止め力を発揮することができる。
【００８０】
また、第１受入部６８Ａのうち圧入方向に沿う壁面には、第１回り止め片７４Ａが当接されることで、スタッドボルト２４に対する端子金具７０の取付角度が規制される。このようにすれば、スタッドボルト２４に対する端子金具７０の取付角度を規制することができる。また、第１回り止め片７４Ａが、バッテリ端子２０に対する回動規制部材４０の抜け止め機能と、端子金具７０の回り止め機能とを兼ね備えているから、構成の簡素化に好適となる。
【００８１】
また、第２受入部６８Ｂは、第２繋ぎ片５６Ｂを貫通する孔状に形成されており、その孔縁６８Ｂａが有端環状をなすのに対し、ボルト保持部２２には、第２受入部６８Ｂに進入した第２回り止め片７４Ｂが当接されることで、スタッドボルト２４に対する端子金具７０の取付角度が規制される。このようにすれば、スタッドボルト２４に対する端子金具７０の取付角度を規制することができる。しかも、第２回り止め片７４Ｂがボルト保持部２２に対して直接当接されるので、ボルト保持部２２に対して端子金具７０ががたつき難くなり、もって高い回り止め機能を発揮することができる。また、第２回り止め片７４Ｂが、バッテリ端子２０に対する回動規制部材４０の抜け止め機能と、端子金具７０の回り止め機能とを兼ね備えているから、構成の簡素化に好適となる。
【００８２】
また、上記取付部材を外部回路に接続される端子金具７０としている。このようにすれば、外部回路に接続される端子金具７０に抜け止め機能を併せ持たせることができる。
【００８３】
また、繋ぎ片５６は、ボルト保持部２２に対する本体部４１の圧入方向に沿って延びる形態とされるとともに、ボルト保持部２２に対してスタッドボルト２４の軸線方向と直交する方向に隣り合う位置に配されている。このようにすれば、ボルト保持部２２に対してスタッドボルト２４の軸線方向に隣り合う位置には、スタッドボルト２４に取り付ける部品やバッテリ１０の壁面が存在し得るのと比べると、ボルト保持部２２に対してスタッドボルト２４の軸線方向と直交する方向に隣り合う位置には、繋ぎ片５６を設置するためのスペースを容易に確保することができる。
【００８４】
また、繋ぎ片５６は、ボルト保持部２２を挟んだ位置に一対配され、両繋ぎ片５６に対して係合部品５７が繋げられている。このようにすれば、ボルト保持部２２が本体部４１と一対の繋ぎ片５６と係合部品５７とによって取り囲まれるから、スタッドボルト２４の軸線方向と直交する全方位について、バッテリ端子２０に対する回動規制部材４０のがたつきを規制できる。しかも、一対の繋ぎ片５６に係合部品５７が繋げられるから、強度上も優れ、より高い抜け規制機能を発揮することができる。
【００８５】
また、係合部品５７は、両繋ぎ片５６とは別体とされ、両繋ぎ片５６に対して組み付けられることで繋げられる。このようにすれば、仮にヒンジにより係合部品を一方の繋ぎ片に一体に設けた場合と比べると、バッテリ端子２０に対する組み付け作業性に優れる。特にポスト嵌合部２１とボルト保持部２２との間の間隔が小さい場合に有効となる。
【００８６】
＜実施形態２＞
本発明の実施形態２を図２４によって説明する。この実施形態２では、繋ぎ片５６‐Ａの形状を変更したものを示す。なお、この実施形態２では、上記した実施形態１と同様の構造には、同一の符号を用いるとともにその末尾に添え字‐Ａを付すものとし、構造、作用及び効果について重複する説明は省略する。
【００８７】
両繋ぎ片５６‐Ａは、図２４に示すように、共に厚さ方向に貫通し且つ内向きにも開口する受入部６８‐Ａを有しており、互いに対称形状となっている。両受入部６８‐Ａの孔縁６８ａ‐Ａは、平面視略チャンネル型で有端環状をなしている。つまり、本実施形態に係る両繋ぎ片５６‐Ａは、上記した実施形態１に記載した第２繋ぎ片５６Ｂと同様の構造となっている（図６参照）。従って、端子金具７０‐Ａの両回り止め片７４‐Ａは、両受入部６８‐Ａ内に進入した状態では、繋ぎ片５６‐Ａを介在させることなく、ボルト保持部２２‐Ａの外側面に対して直接当接される。従って、ボルト保持部２２‐Ａと両回り止め片７４‐Ａとの間に生じ得るクリアランスに繋ぎ片５６‐Ａの寸法公差などが含まれることがなく、同クリアランスを極めて小さくすることができる。これにより、ボルト保持部２２‐Ａに対して端子金具７０‐Ａががたつき難くなり、もって高い回り止め機能を得ることができる。しかも、両繋ぎ片５６‐Ａの幅寸法は、上記した実施形態１に記載した第１繋ぎ片５６Ａよりも小さくなっているので、回動規制部材の小型化を図ることができる。また、両回り止め片７４‐Ａの内面間の間隔は、ボルト保持部２２‐Ａの幅寸法とほぼ等しくなっている。
【００８８】
＜実施形態３＞
本発明の実施形態３を図２５によって説明する。この実施形態３では、繋ぎ片５６‐Ｂの形状をさらに変更したものを示す。なお、この実施形態３では、上記した実施形態１と同様の構造には、同一の符号を用いるとともにその末尾に添え字‐Ｂを付すものとし、構造、作用及び効果について重複する説明は省略する。
【００８９】
両繋ぎ片５６‐Ｂは、図２５に示すように、共に厚さ方向に貫通する受入部６８‐Ｂを有しており、互いに対称形状となっている。つまり、本実施形態に係る両繋ぎ片５６‐Ｂは、上記した実施形態１に記載した第１繋ぎ片５６Ａと同様の構造となっている（図６参照）。両受入部６８‐Ｂの孔縁６８ａ‐Ｂは、共に無端環状をなしているので、両繋ぎ片５６‐Ｂにおける強度を十分に確保でき且つ同等にすることができる。これにより、本体部に圧入方向とは反対の抜け方向へ引っ張るような力が作用した場合でも、本体部の抜け方向への移動をより確実に規制することができる。以上により、バッテリ端子２０‐Ｂに対する回動規制部材の保持力をより高く且つバランス良くすることができ、もって高い回動規制機能を安定的に発揮させることができる。また、両受入部６８‐ＢにおけるＸ軸方向に沿った内側の壁面は、端子金具７０‐Ｂにおける両回り止め片７４‐Ｂが当接される回り止め当接面６８ｃ‐Ｂとなっており、それによりスタッドボルト２４‐Ｂに対して端子金具７０‐Ｂを回り止め可能とされる。
＜実施形態４＞
本発明の実施形態４を図２６または図２７によって説明する。この実施形態４では、バッテリ端子２０‐Ｃのボルト保持部２２‐Ｃに取り付けるものを変更したものを示す。なお、この実施形態４では、上記した実施形態１と同様の構造には、同一の符号を用いるとともにその末尾に添え字‐Ｃを付すものとし、構造、作用及び効果について重複する説明は省略する。
【００９０】
本実施形態に係るバッテリ端子２０‐Ｃのボルト保持部２２‐Ｃには、図２６及び図２７に示すように、電流センサ８０が取り付けられている。電流センサ８０は、バッテリ１０‐Ｃを電源とした所定の電気回路に対してコネクタなどを介して電気的に接続されるとともに、その電気回路に流れる電流を検出するためのものである。この電流センサ８０は、略ブロック状をなす本体部８１に対してブラケット８２が一体に設けられた構成であり、このブラケット８２がスタッドボルト２４‐Ｃに挿通された状態でボルト保持部２２‐Ｃに対して取り付けられる。ブラケット８２は、ボルト保持部２２‐Ｃの上面に載置されるとともにボルト挿通孔８２ａを有するバッテリ取付部８３と、バッテリ取付部８３の両側縁から下方へ突出する一対の回り止め片８４とから構成される。これらバッテリ取付部８３及び両回り止め片８４の構成、作用及び効果は、上記した実施形態１における端子金具７０のバッテリ取付部７２及び両回り止め片７４と同様である。なお、このブラケット８２は、金属製ではあるが、通電のためのものではなく、ボルト保持部２２‐Ｃに対する電流センサ８０の単なる機械的な保持を図るためのものである。
【００９１】
以上説明したように本実施形態によれば、ボルト保持部２２‐Ｃに取り付けられる取付部材を、電気部品である電流センサ８０に固定されるブラケット８２としている。このようにすれば、電流センサ８０に固定されるブラケット８２に抜け止め機能を併せ持たせることができる。
【００９２】
＜他の実施形態＞
本発明は上記記述及び図面によって説明した実施形態に限定されるものではなく、例えば次のような実施形態も本発明の技術的範囲に含まれる。
（１）上記した各実施形態では、一対の繋ぎ片が共に本体部に一体に設けられたものを示したが、一対の繋ぎ片のうちいずれか一方が係合部品に一体に設けられていて、その繋ぎ片が本体部に対して組み付けにより一体化されるようにしたものも本発明に含まれる。その場合でも、係合部品をボルト保持部に係合させるとともに、端子金具や電流センサのブラケットにおける回り止め片を各繋ぎ片の受入部の壁面に係合させることで、二重に本体部の抜け止めを図ることができる。なお、本体部に対する繋ぎ片の保持構造は、上記した各実施形態にて示した各繋ぎ片に対する係合部品の保持構造を適用すればよい。
【００９３】
（２）上記した（１）以外にも、一対の繋ぎ片を共に係合部品に一体に設けるようにし、両繋ぎ片を本体部に対して組み付けにより一体化するようにしたものも本発明に含まれる。
【００９４】
（３）上記した各実施形態では、繋ぎ片が本体部と係合部品との間に延在する１本のアーム状をなすものを示したが、例えば繋ぎ片が、係合部品に一体形成される第１分割繋ぎ片と、本体部に一体形成される第２分割繋ぎ片とに分割されていて、第１分割繋ぎ片及び第２分割繋ぎ片がボルト保持部の側方位置にて互いに保持構造によって一体的に組み付けられるようにしたものも本発明に含まれる。この場合、一対の繋ぎ片のうちいずれか一方のみを上記した分割構造としてもよいし、両繋ぎ片を共に分割構造としてもよい。
【００９５】
（４）上記した（１）〜（３）のように、繋ぎ片の少なくとも一部を係合部品に一体形成した場合、その係合部品側の繋ぎ片に端子金具やブラケットの回り止め片を受け入れる受入部を設けることも可能である。勿論、本体部側の繋ぎ片に受入部を設けることも可能であり、そのようにすれば本体部のがたつき防止効果を一層高めることができて好適である。
【００９６】
（５）上記した各実施形態では、繋ぎ片を一対設けたものを示したが、繋ぎ片を１本のみとしたものも本発明に含まれる。また、繋ぎ片を３本以上設けるようにしてもよい。
【００９７】
（６）上記した各実施形態では、一対の繋ぎ片が共に本体部に一体に設けられたものを示したが、繋ぎ片の少なくともいずれか一方が、本体部及び係合部品の双方に対して別体で設けられ、本体部及び係合部品に対して組み付けにより一体化されるようなものも本発明に含まれる。その場合でも、係合部品をボルト保持部に係合させるとともに、端子金具や電流センサのブラケットにおける回り止め片を各繋ぎ片の受入部の壁面に係合させることで、二重に本体部の抜け止めを図ることができる。なお、本体部に対する繋ぎ片の保持構造は、上記した各実施形態にて示した各繋ぎ片に対する係合部品の保持構造を適用すればよい。
【００９８】
（７）上記した各実施形態では、係合部品側に保持片を、繋ぎ片側に保持突起を設けるようにしたものを示したが、逆に繋ぎ片側に保持片を、係合部品側に保持突起を設けたものも本発明に含まれる。また、保持片と保持突起とによる保持構造以外にも、要は係合部品側と繋ぎ片側とに互いに係止し合う部位を設けるようにすればよく、その形態は適宜に変更可能である。
【００９９】
（８）上記した各実施形態では、一対の繋ぎ片に対して係合部品が別体で組み付けられるものを示したが、繋ぎ片に対して係合部品を一体に設けるようにしてもよい。具体的には、いずれか一方の繋ぎ片に対してヒンジを介して係合部品を開閉可能に一体に繋げるとともに、ヒンジを屈曲させつつ係合部品を閉鎖すると、他方の繋ぎ片に対して係合部品が係止構造により一体的に保持されるようにすればよい。
【０１００】
（９）上記した各実施形態では、受入部が繋ぎ片を厚さ方向に貫通する孔状の場合を示したが、受入部は必ずしも貫通孔である必要はなく、例えば繋ぎ片の上面（外面）を凹ませる（窪ませる）ことで凹状の受入部を設けるようにしたものも本発明に含まれる。
【０１０１】
（１０）上記した各実施形態では、端子金具やブラケット側に突部である回り止め片を、繋ぎ片側に突部が進入する孔状または凹状の受入部をそれぞれ設けた場合を示したが、逆に繋ぎ片側に突部を、端子金具やブラケット側に突部が進入する孔状または凹状の受入部をそれぞれ設けるようにしたものも本発明に含まれる。
【０１０２】
（１１）上記した各実施形態では、繋ぎ片がボルト保持部に対してスタッドボルトの軸線方向と直交する方向に隣り合う配置とされたものを示したが、繋ぎ片がボルト保持部に対してスタッドボルトの軸線方向に隣り合う配置としたものも本発明に含まれる。
【０１０３】
（１２）上記した実施形態１では、ボルト保持部に端子金具が取り付けられるものを、上記した実施形態２では、ボルト保持部に電流センサのブラケットが取り付けられるものをそれぞれ例示したが、ボルト保持部に対して端子金具及び電流センサのブラケットが共に取り付けられるものも本発明に含まれる。その場合、端子金具とブラケットの少なくともいずれか一方を繋ぎ片に係合させるようにすればよい。
【０１０４】
（１３）上記した各実施形態では、端子金具や電流センサのブラケットにおける回り止め片に繋ぎ片に対する抜け止め機能を併せ持たせたものを示したが、端子金具またはブラケットに対して回り止め片とは別途に抜け止め専用の係合部を設けるようにしてもよい。その場合、回り止め片を省略することもできる。
【０１０５】
（１４）上記した実施形態４では、電流センサのブラケットを金属製としたものを示したが、ブラケットを例えば合成樹脂製としてもよい。
【０１０６】
（１５）上記した各実施形態では、ボルト保持部に取り付けられる「取付部材」として、端子金具や電流センサのブラケットを例示したが、これら以外のものを「取付部材」として用いるようにしてもよい。特に、ブラケットが固定される電気部品を、例えば圧力センサなどに変更可能である。
【０１０７】
（１６）上記した各実施形態に示した圧入部については、設置数や形状や大きさや配置などを適宜に変更可能である。また、圧入部のうち各リブ、抜け止め突起及び肉抜き部の設置数や形状や大きさや配置などを適宜に変更可能である。
（１７）また、圧入部を省略することも可能である。
【図面の簡単な説明】
【０１０８】
【図１】本発明の実施形態１に係るバッテリ端子及び回動規制部材の分解斜視図
【図２】バッテリ端子の平面図
【図３】バッテリ端子の側面図
【図４】バッテリ端子の背面図
【図５】バッテリ端子の一部切欠側面図
【図６】バッテリ端子と係合部品と回動規制部材とを組み付ける前の状態で、バッテリ端子を切り欠いた平面図
【図７】係合部品を組み付ける前の回動規制部材の側面図
【図８】係合部品を組み付ける前の回動規制部材の正面図
【図９】係合部品を組み付ける前の回動規制部材の背面図
【図１０】図６のx−x線断面図
【図１１】端子金具を取り付ける前のバッテリ端子ユニットの斜視図
【図１２】バッテリ端子に回動規制部材を組み付けた状態の側面図
【図１３】バッテリ端子に回動規制部材を組み付けた状態の平面図
【図１４】図１３のxiv−xiv線断面図
【図１５】バッテリ端子に回動規制部材を組み付けた状態で、バッテリ端子を切り欠いた平面図
【図１６】図１３のxvi−xvi線断面図
【図１７】バッテリ端子に回動規制部材を組み付けた状態で、係合部品及びボルト保持部を切り欠いた平面図
【図１８】バッテリに搭載したバッテリ端子ユニットの斜視図
【図１９】バッテリに搭載したバッテリ端子ユニットの側面図
【図２０】バッテリに搭載したバッテリ端子ユニットの平面図
【図２１】図２０のxxi−xxi線断面図
【図２２】端子金具を組み付けた状態で、端子金具、係合部品及びボルト保持部を切り欠いた平面図
【図２３】バッテリに合わせて形状を変更した回動規制部材を備えたバッテリ端子ユニットの側面図
【図２４】本発明の実施形態２に係るバッテリ端子、回動規制部材及び端子金具の断面図
【図２５】本発明の実施形態３に係るバッテリ端子、回動規制部材及び端子金具の断面図
【図２６】本発明の実施形態４に係る電流センサのブラケットを取り付けたバッテリ端子ユニットの側面図
【図２７】電流センサのブラケットを取り付けたバッテリ端子ユニットの平面図
【符号の説明】
【０１０９】
１０…バッテリ
１２…バッテリポスト
２０…バッテリ端子
２１…ポスト嵌合部
２２…ボルト保持部
２４…スタッドボルト
２４ａ…頭部
３２…開口部
４０…回動規制部材
４１…本体部
４２…圧入部
５６（５６Ａ，５６Ｂ）…繋ぎ片（繋ぎ部）
５７…係合部品（係合部）
６８（６８Ａ，６８Ｂ）…受入部
６８Ａａ，６８Ｂａ…孔縁
６８Ａｂ，６８Ｂｂ…抜け規制係合面（壁面）
６８Ａｃ…回り止め当接面（圧入方向に沿う壁面）
７０…端子金具（取付部材）
７４（７４Ａ，７４Ｂ）…回り止め片（突部）
８０…電流センサ（電気部品）
８２…ブラケット（取付部材）
８４…回り止め片（突部）
Ｕ…バッテリ端子ユニット
【図１】
2010062096.tif 000003
【図２】
2010062096.tif 000004
【図３】
2010062096.tif 000005
【図４】
2010062096.tif 000006
【図５】
2010062096.tif 000007
【図６】
2010062096.tif 000008
【図７】
2010062096.tif 000009
【図８】
2010062096.tif 000010
【図９】
2010062096.tif 000011
【図１０】
2010062096.tif 000012
【図１１】
2010062096.tif 000013
【図１２】
2010062096.tif 000014
【図１３】
2010062096.tif 000015
【図１４】
2010062096.tif 000016
【図１５】
2010062096.tif 000017
【図１６】
2010062096.tif 000018
【図１７】
2010062096.tif 000019
【図１８】
2010062096.tif 000020
【図１９】
2010062096.tif 000021
【図２０】
2010062096.tif 000022
【図２１】
2010062096.tif 000023
【図２２】
2010062096.tif 000024
【図２３】
2010062096.tif 000025
【図２４】
2010062096.tif 000026
【図２５】
2010062096.tif 000027
【図２６】
2010062096.tif 000028
【図２７】
2010062096.tif 000029